(57)【要約】【課題】貯金箱１において楽しみながら貯金を続け、投入した現在の貯金額を常に確認可能とすることを課題とする。【解決手段】貯金箱１に升目表９と筆記具１３を備える。すなわち、貯金箱本体の外表面に貼り付けられた投入金額確認シール７の表面に升目表９を設け、貯金箱に投入した所定の硬貨又は紙幣の数に応じて、前記升目表の各升目に対し行方向又は列方向へ印を付けていく。これら行方向又は列方向の端部まで印がついた状態で合計金額がわかるように、前記端部に合計金額数字を記載する。この貯金箱本体に貼り付けた筆記具ホルダに、前記印を付けるのに使用される筆記具を保持する。また、貯金するごとに升目表９の記号に合わせた筆記具１３で、升目表９を塗りつぶすことで、升目表９の中に徐々にイラスト・模様等を完成させていきながら、升目表９により投入金額を確認可能とする。【選択図】    図１
2004201872.tif 000002
【特許請求の範囲】
【請求項１】
貯金箱本体と、この貯金箱本体の外表面に貼り付けられた投入金額確認シールと、このシールの表面に表され、前記貯金箱に投入した所定の硬貨又は紙幣の数に応じて升目に印を付けることで合計金額がわかるようした升目表と、を有することを特徴とする貯金箱。
【請求項２】
貯金箱本体と、この貯金箱本体の外表面に貼り付けられた投入金額確認シールと、このシールの表面に表される升目表と、前記貯金箱に投入した所定の硬貨又は紙幣の数に応じて、前記升目表の各升目に対し行方向又は列方向へ印を付けていくことで、これら行方向又は列方向の端部まで印がついた状態で合計金額がわかるように前記端部に記載された合計金額数字と、この貯金箱本体に貼り付けて使用する筆記具ホルダと、この筆記具ホルダに保持され前記印を付けるのに使用される筆記具と、を有することを特徴とする貯金箱。
【請求項３】
貯金箱等の外表面に貼り付けられて用いられるシールであって、このシールの表面に表され、前記貯金箱に投入した所定の硬貨又は紙幣の数に応じて升目に印を付けることで合計金額がわかるようした升目表、を有することを特徴とする貯金箱等に使用する投入金額確認シール。
【請求項４】
貯金箱等の外表面に貼り付けられて用いられるシールであって、このシールの表面に表される升目表と、前記貯金箱に投入した所定の硬貨又は紙幣の数に応じて、前記升目表の各升目に対し行方向又は列方向へ印を付けていくことで、これら行方向又は列方向の端部まで印がついた状態で合計金額がわかるように前記端部に記載された合計金額数字と、シールに一体的に形成され、前記印を付けるのに使用される筆記具を保持するための筆記具ホルダと、を有することを特徴とする貯金箱等に使用する投入金額確認シール。
【請求項５】
投入した所定の硬貨又は紙幣の種類、あるいは升目表の行又は列の升目の数を変えた、複数の前記シールを用意することを特徴とする請求項１、又は２に記載の貯金箱、あるいは請求項３、又は４に記載の貯金箱等に使用する投入金額確認シール。
【請求項６】
前記升目表の各升目にドット絵の要領で記号を打ち、この記号にあわせた色の異なる筆記具で升目に印を付けることにより、徐々にイラスト、模様、図形、又は文字等が升目表全体に出来あがっていくことを特徴とする請求項１、又は２に記載の貯金箱、あるいは請求項３、又は４に記載の貯金箱等に使用する投入金額確認シール。
【発明の詳細な説明】
【０００１】
【発明の属する技術分野】
この発明は、貯金箱における投入金額確認を行うための升目表を有するシールに関する。
【０００２】
【従来の技術】
従来の貯金箱等は、投入され貯金された金額が確認できず、たとえ確認のための表示機能があったとしても電気式（たとえば特開２００１−２５２４８１）あるいは機械式（特開２００２−３４５５２２）で表示していたためコストのかかるものであった。
【０００３】
【この発明が解決しようとする課題】
この発明は、低コストで貯金箱等の投入金額を確認できるようにすると共に、貯金等を飽きることなく続けられる貯金箱、及び貯金箱等に使用する投入金額確認シールを提供すること課題とする。
【０００４】
【課題を解決するための手段】
以上の課題を解決するために、第一の発明は、貯金箱本体と、この貯金箱本体の外表面に貼り付けられた投入金額確認シールと、このシールの表面に表され、前記貯金箱に投入した所定の硬貨又は紙幣の数に応じて升目に印を付け（升目を塗りつぶすことも含む）ることで合計金額がわかるようした升目表と、を有することを特徴とする貯金箱である。
第二の発明は、貯金箱本体と、この貯金箱本体の外表面に貼り付けられた投入金額確認シールと、このシールの表面に表される升目表と、前記貯金箱に投入した所定の硬貨又は紙幣の数に応じて、前記升目表の各升目に対し行方向又は列方向へ印を付け（升目を塗りつぶすことも含む）ていくことで、これら行方向又は列方向の端部まで印がついて状態で合計金額がわかるように前記端部に記載された合計金額数字と、この貯金箱本体に貼り付けて使用する筆記具ホルダと、この筆記具ホルダに保持され前記印を付けるのに使用される筆記具と、を有することを特徴とする貯金箱である。
第三の発明は、貯金箱等の外表面に貼り付けられて用いられるシールであって、このシールの表面に表され、前記貯金箱に投入した所定の硬貨又は紙幣の数に応じて升目に印を付け（升目を塗りつぶすことも含む）ることで合計金額がわかるようした升目表、を有することを特徴とする貯金箱等に使用する投入金額確認シールである。
第四の発明は、貯金箱等の外表面に貼り付けられて用いられるシールであって、このシールの表面に表される升目表と、前記貯金箱に投入した所定の硬貨又は紙幣の数に応じて、前記升目表の各升目に対し行方向又は列方向へ印を付け（升目を塗りつぶすことも含む）ていくことで、これら行方向又は列方向の端部まで印がついて状態で合計金額がわかるように前記端部に記載された合計金額数字と、シールに一体的に形成され、前記印を付けるのに使用される筆記具を保持するための筆記具ホルダと、を有することを特徴とする貯金箱等に使用する投入金額確認シールである。
第五の発明は、投入した所定の硬貨又は紙幣の種類、あるいは升目表の行又は列の升目の数を変えた、複数の前記シールを用意することを特徴とする貯金箱、又は貯金箱等に使用する投入金額確認シールである。
第六の発明は、前記升目表の各升目にドット絵の要領で記号を打ち、この記号にあわせた色の異なる筆記具で升目を塗りつぶすことにより、徐々にイラスト、模様、図形、又は文字等が升目表全体に全体に出来あがっていくことを特徴とする貯金箱、又は貯金箱等に使用する投入金額確認シールである。
【０００５】
【発明の実施の形態】
この発明の一実施の形態に係る貯金箱を、図１および図２に示す。
貯金箱本体１は短円柱状をなし、上面３に硬貨の投入口５が形成される。この貯金箱本体１の外表側面に投入金額確認シール７が、裏面の接着面により貼り付けられている。このシールの表面には、升目表９が表される。この升目表９の各升目に、貯金箱に投入した硬貨（この実施形態では五百円玉）の数に応じて印を付けていく。このシール７には、一体的に筆記具ホルダ１１が設けられる。筆記具ホルダ１１の材質は、紙、布、プラスチックなどが使用できる。この筆記具ホルダ１１には、印を付けるのに使用される３本の筆記具１３が保持される。
【０００６】
この升目表９には、一行に４０個の升目Ｓを有する行Ｌが２５行設けられる。そして、貯金箱に投入した所定の硬貨である五百円玉の数に応じて、升目表９の各升目Ｓに対し行方向、すなわち図中右方向へ、○などの印を付け、あるいは塗りつぶしていく。この行方向、すなわち右方向の端部まで印がついて状態での合計金額がわかるように、この端部欄外Ｎに「２０，０００」「４０，０００」「６０，０００」・・・などの合計金額数字が記載される。すなわち、一行で、五百円玉が４０枚投入されることとなり、２万円が貯金される。２行で４万円、３行で６万円、・・・となる。全体では、５００円硬貨で１０００枚の５０万円が貯金される。
【０００７】
（他の実施形態）
以上の実施形態では、升目表の各升目に対し行方向へ、単に、○などの同じ印を付け、あるいは塗りつぶしていくものであったが、他の実施形態では、単に塗りつぶすのではなく、イラストなどを描きながら塗りつぶしてもよい。
【０００８】
この場合に、升目表９の各升目Ｓにドット絵の要領でたとえば図３に示すようにＡ，Ｂ，Ｃなどの記号を打ち、この記号にあわせ色の異なる筆記具１３で升目Ｓを塗りつぶすことにより、徐々にイラストや模様等が升目表全体に描くことができる。たとえば、記号Ａの筆記具を赤、記号Ｂの筆記具を青、記号Ｃの筆記具を黄というように設定し、升目表９の各升目にＡＢＣの記号をイラスト等にあわせて印刷しておき、使用者が硬貨を１個貯金するごとに、升目Ｓの記号に合わせた色の筆記具により、塗りつぶしを行い、イラスト等を完成させる。この場合、筆記具にはそれぞれ、Ａ、Ｂ、又はＣの記号が付けられる。
【０００９】
また、以上の実施形態では、シール７は始めから短円筒状の貯金箱１に貼られて販売されるものであったが、他の実施形態では、たとえば図４に示すようにシール７を単品で販売することもできる。シール７の購入者は、自分の好みの貯金箱、あるいは貯金箱の代わりになる容器などに、シール７を裏面の接着面により貼って用いる。筆記具ホルダ１１は、シール７と一体の材質でもよいし、異なる強度の大きな材質でもよい。材質は、紙、布、プラスチックなどが使用できる。
【００１０】
また、以上の実施形態では、升目表９の各升目Ｓに対し行方向へ印をつけるものであったが、他の実施形態では、列方向（図中下方向）へ印を付けていくこともできる。この場合に、列方向の端部まで印がついて状態での合計金額がわかるように、列の端部に合計金額数字を記載できる。
【００１１】
また、以上の実施形態ではでは、投入するのは硬貨であったが、他の実施形態では、紙幣であってもよい。
また、仮に、所定額の硬貨が投入されることを前提に升目表が作られていても、紙幣も投入でき、その場合には、投入した紙幣が硬貨何枚分の額になるかにしたがって、その枚数分の印をつければよい。
【００１２】
また、以上の実施形態では、升目表９は一通りであったが、他の実施形態では、複数通りの升目表９を備えてもよい。すなわち、投入した所定の硬貨又は紙幣の種類、あるいは升目表の行又は列の升目の数などの設定を変えた升目表９を表示する、複数のシール７を用意し、これらをセットにして貯金箱、又は投入金額確認シールとして販売できる。この貯金箱などを購入した者は、自分の計画に合った升目表９を表示するシール７を貯金箱に貼って使用する。たとえば図４においては、複数枚の升目表９が表ホルダ１５に保持されて販売される。
【００１３】
【発明の効果】
以上説明したように、第一、第二、第三、第四、第五、または第六の発明によれば、硬貨又は紙幣の数に応じて、升目に対し印を付けることで、おおよその現在の投入金額を確認できる。また、付いた印などを励みとし、貯金等を飽きることなく続けられる。
【００１４】
また、第二、第四、第五、または第六の発明によれば、さらに、記載された合計金額により、貯金箱の現在の投入金額を確認できる。また、筆記具が常に貯金箱等に保持されるため貯蔵するたびに筆記具を用意する必要がなく、記録漏れの恐れがない。
【００１５】
また、第五の発明によれば、さらに、使用者は、自分の計画に合った升目表を表示するシールを貯金箱に貼って使用することができ、自分の貯金計画に容易に合わせられる。
【００１６】
また、第六の発明によれば、さらに、升目表の記号に合わせた色の筆記具で升目表を塗りつぶし、徐々にイラストや模様等を完成させていくことにより、その完成度合がより強い励みになり、使用者が飽きることなく貯金を続けられる。
【図面の簡単な説明】
【図１】この発明の一実施形態の貯金箱を示す斜視図である。
【図２】図１の貯金箱等に設ける升目表の例の説明図である。５００円硬貨で５０万円を目標金額に設定したものである。
【図３】この発明の他に実施形態で、各升目を異なる色で塗りつぶすことで文字が出来上がる様子を示す升目表の部分図である。
【図４】この発明の他に実施形態である升目表と筆記具を備えた投入金額確認シールの説明図である。
【符号の説明】
１  貯金箱本体
３  上面
５  投入口
７  入金額確認シール
９  升目表
１１  筆記具ホルダ
１３  筆記具
Ｓ  升目
Ｌ  行
Ｎ  端部欄外
【図１】
2004201872.tif 000003
【図２】
2004201872.tif 000004
【図３】
2004201872.tif 000005
【図４】
2004201872.tif 000006